(57)【要約】録画装置上で誤った録画が生じたかを判定する方法及び装置である。電子番組ガイド（ＥＰＧ）情報は、録画されるべき番組を選択するために使用される。訂正されたＥＰＧデータは、録画の後に送信され、スケジュール変更により誤った録画が生じたかを判定するために録画の時間、チャンネル、及び長さと比較される。誤った録画がされていれば、録画装置は番組の他の放送があるかＥＰＧデータを探索し、あれば次の放送を録画する。【特許請求の範囲】
【請求項１】
番組を録画するよう動作可能な録画装置と、
（ｉ）電子番組ガイド（ＥＰＧ）及び（ｉｉ）訂正されたＥＰＧを受信する電子番組ガイド受信器と、
上記ＥＰＧ情報に基づいて番組を録画するよう上記録画装置をプログラムするプログラミング装置と、
録画されるべきとして選択されていたが録画に失敗した番組を上記訂正されたＥＰＧから検出する検出器とを含むビデオ録画システム。
【請求項２】
録画に失敗した番組の更なる放送を上記ＥＰＧから探す装置を更に含む、請求項１記載のビデオ録画システム。
【請求項３】
誤って又は不完全に録画された番組を上記録画装置から消去する装置を更に含む、請求項１記載のビデオ録画システム。
【請求項４】
電子番組ガイド（ＥＰＧ）を格納するメモリと、
録画されるべき番組を上記ＥＰＧから選択する選択部と、
録画されるべきとして選択された番組を録画する録画部と、
訂正されたＥＰＧを受信する受信部と、
録画されるべきとして選択されていたが録画に失敗した番組を上記訂正されたＥＰＧから決定する比較部とを含むビデオ録画装置。
【請求項５】
録画に失敗した番組の次の放送を上記ＥＰＧから決定する装置と、
上記番組の次の放送を録画するよう上記録画部をプログラムするプログラミング部とを更に含む、請求項４記載のビデオ録画装置。
【請求項６】
誤って又は不完全に録画された番組を上記録画部から消去する装置を更に含む、請求項５記載のビデオ録画装置。
【請求項７】
上記録画部はハードドライブである、請求項６記載のビデオ録画装置。
【請求項８】
上記比較部は、上記訂正されたＥＰＧを録画を設定するために選択されていた格納されたＥＰＧと比較し、選択された任意の時間中に、選択されたチャンネルについて録画の失敗が生じたことを上記ＥＰＧが示すか否かを判定する、請求項３記載の録画装置。
【請求項９】
ＥＰＧを受信する段階と、
録画されるべき番組のユーザ選択を受信する段階と、
上記番組を録画する段階と、
訂正されたＥＰＧを受信する段階と、
上記訂正されたＥＰＧを上記選択された番組の録画時間及びチャンネル番号と比較する段階と、
上記ユーザ選択された番組の不完全な又は誤った録画が生じたか否かを判定する段階と、
不完全な又は誤った録画が生じた場合は、上記ユーザ選択された番組の次の放送についてＥＰＧ情報を探索し、上記次の放送を録画する段階とを含む、録画方法。
【請求項１０】
上記不完全な又は誤った録画を消去する段階を更に含む、請求項９記載の方法。
【請求項１１】
上記ＥＰＧを受信する段階は、更新されたＥＰＧ情報が利用可能であるよう定期的に実行される、請求項１０記載の方法。
【請求項１２】
上記探索段階は、上記更新されたＥＰＧ情報に対して行われる、請求項１１記載の方法。
【請求項１３】
不完全な又は誤った録画が生じたことをユーザに通知する段階を更に含む、請求項１２記載の方法。
【請求項１４】
正しい録画がいつ生ずるかをユーザに通知する段階を更に含む、請求項１３記載の方法。
【発明の詳細な説明】
【０００１】
［発明の背景］
多くの公知の録画システムは、電子番組ガイド（ＥＰＧ）の形式で録画システムへ番組情報を与える。幾つかのＥＰＧは、ケーブル放送者から提供されるもののように連続的に放送され、他のＥＰＧは何らかの定期的な基準に基づいて録画システムへダウンロードされる。多くのＥＰＧは双方向式であり、ハイライトされたカーソルを番組名まで動かし番組を選択することによりユーザに録画すべき番組をＥＰＧから選択させる。
【０００２】
パーソナル・ビデオ・レコーダ（ＰＶＲ）が広く普及してきており、例えばＴＩＶＯパーソナル・ビデオ・レコーダが知られている。ＰＶＲは、番組を録画するために、ＶＣＲの場合のようにテープを用いるのではなくハードドライブを使用する。ＰＶＲはまた、ＥＰＧを使用し、ＥＰＧをダウンロードするために毎日電話の呼を発する。ユーザは、録画すべき番組を選択するためにＰＶＲのＥＰＧをスクロールする。これらのシステムは、ユーザが録画すべき番組の日付、開始時間、長さ、チャンネル番号を入力する必要がない点で録画処理を簡単にする。そのかわりに、ＥＰＧをスクロールすることにより、ユーザは自分が録画しようとするタイトルを選択する。ＰＶＲは、ＥＰＧを通じて日付、開始時間、長さ、及びチャンネル番号を自動的に知り、番組を録画する。
【０００３】
公知のシステムには問題点がある。番組情報は、毎日の早朝といったある定期的な基準に基づいてロードされるため、その後のその日のスケジュールの変更はＥＰＧには知らされない。これにより、例えば要求されてない素材が録画され要求されている素材が録画されないような、素材の録画が失敗する場合が生じうる。例えば、野球の試合が通常の９イニングではなく１５イニングまで延長する場合、試合は予定よりも２乃至３時間長くなる場合があり、ユーザが録画しようとした他の番組のかわりに差し替えられることがある。結果として、ＰＶＲは最初にユーザが録画しようとした番組の代わりにこの試合の後半のイニングを録画することになる。ＰＶＲが将来のスケジュール変更された番組を録画しうるようＰＶＲが誤った番組を録画したか否かを検出する手段はない。
【０００４】
［発明の概要］
従って、本発明は、最初は録画されるはずであったがスケジュール変更又はＥＰＧの誤りによって録画されなかった全てのスケジュール変更された番組を自動的に録画する録画装置を提供することを目的とする。
【０００５】
本発明は、前日のＥＰＧの訂正版を録画装置へ送信することを他の目的とする。録画装置は、誤った番組をいつ録画したかを検出し、番組を消去するか及び／又はＥＰＧからスケジュール変更された番組を探索することによりスケジュール変更された番組を録画するために再び録画装置を設定しなおす。
【０００６】
本発明は、完全な訂正されたＥＰＧを送信し、不一致を見つけるために録画装置が以前に送信されたＥＰＧと訂正されたＥＰＧとを比較することを更なる目的とする。
【０００７】
本発明は、前日のＥＰＧに対する変更のみを録画装置に対して送信することを他の目的とする。
【０００８】
本発明の更なる他の目的及び利点は、明細書から明らかとなり理解されよう。本発明は、幾つかの段階及び１つ以上のかかる段階の互いに対する関係、かかる段階を実行するために適応される構造の特徴、要素の組合せ及び部分の配置を具現化する装置を含み、これらの全ては以下の詳細な説明に記載され、本発明の範囲は請求の範囲に記載される。
【０００９】
［望ましい実施例の詳細な説明］
発明のよりよい理解のため、添付の図面を参照して本発明について説明する。図１Ａは、本発明の望ましい実施例によるビデオ録画システムを示す図である。ＰＶＲ１０は、テレビジョン１１と、ＥＰＧデータを受信するための電話システム１２（又は他の通信路）とに接続される。ＥＰＧ１３はテレビジョン１１上に表示され、番組メニューを通じてナビゲートするためのカーソルを提供する。放送源（例えばテレビジョンアンテナ、ケーブル、衛星）１５は、録画されるべきＴＶコンテンツを提供する。
【００１０】
図１Ｂは、ＰＶＲ１０の幾つかの構成要素を示す図である。ＰＶＲ１０は、コントローラ３０、遠隔制御装置２、モデム１４、ＥＰＧメモリ２０、ＥＰＧ訂正メモリ２１、比較器２４、オンスクリーン表示発生器２６、録画リストメモリ２７、クロック３１、チューナ３２、エンコーダ３３、ハードディスク２３、及び、デコーダ２４を含む。ＰＶＲ１０は、ＥＰＧメモリ２０へＥＰＧをダウンロードするために電話回線１２及びモデム１４を介して毎朝、電話の呼を発する。オンスクリーン発生器２６によって発生されるユーザインタフェース１３を用いて、ユーザは録画すべき番組を選択するためにメニューを通じてナビゲートする。ＰＶＲ１０は選択された番組を録画し、これをハードドライブ２３上に格納する。翌朝、前日の番組のスケジュール変更についての新しいＥＰＧデータ及び訂正されたＥＰＧデータをダウンロードするために他の電話の呼が発せられる。訂正されたＥＰＧデータは格納され（２１）、前日の録画２７と比較される（２４）。比較器２４は、訂正されたＥＰＧデータが全ての前日の録画と同じ時間及びチャンネル番号を含むか否かを決定する。同じ時間及びチャンネル番号を含む場合、ＰＶＲは、以前に録画されるべきとされていた番組タイトルをＥＰＧメモリ２０から探索し、これが今後の番組スケジュールに入っているかを調べる。スケジュール変更された番組又は同じプログラムの再放送、又は続くエピソードを見つけたときは、その放送を録画するようＰＶＲ自身を自動的にプログラムする。
【００１１】
図２Ａ乃至図２Ｅは、ＥＰＧと訂正されたＥＰＧの例を示す図である。水曜日の夜の午後８時に、録画されるべきであると選択されうる様々な番組がある。いずれの番組も選択されていないが、午後８時にチャンネル３で放送される野球の試合がある。放送者は、野球の試合は午後１０時に終了すると予想しており、従って図２Ｂに示されるように、次に午後１０時にチャンネル３でテニスの試合が放送されるとされている。ユーザは、ＥＰＧをナビゲートし、録画すべきとしてテニスの試合を選択し、ＰＶＲはテニスの試合が水曜日の夜の午後１０時からチャンネル３で２時間に亘って放送されることを知っている。ＰＶＲはこの時間中にこのチャンネルを録画する。
【００１２】
木曜日の朝に電話の呼が発せられ、訂正されたＥＰＧデータと共に新しいＥＰＧ情報がダウンロードされる。図２Ｃ及び図２Ｅの訂正されたＥＰＧデータは、水曜日の夜のチャンネル３の野球の試合は午後１０時には終わらず、午後１１：３０に終了したことを示す。これは、テニスの試合に１時間半くいこんでいる。この訂正されたＥＰＧデータは、図２Ｃ及び図２Ｅに示されているが、一般的にはユーザには表示されない。図２Ｅに示すようにデータベース形式で送信される可能性のほうが高い。ＰＶＲは、水曜日の夜にチャンネル３で午後１０：００−１１：３０に録画すべきとして選択されたデータがあったか否かを判定するため、訂正されたＥＰＧデータを録画すべきとして選択された以前の番組と比較する。ユーザはこの時間にテニスの試合を録画することを選択していたため、ＰＶＲは１０：００から夜中の１２：００に誤った番組を録画したこと、又はテニスの試合が遅れて始まったためテニスの試合全体を録画しなかったことを知る。この時点で、ＰＶＲは、水曜日の夜に録画した録画を消去する（即ち、誤って録画された番組を上書きして録画することを可能とする）か、テニスの試合の一部が実際に録画されているのであればこれを保存しておくことができる。この場合、訂正されたＥＰＧデータは、野球の試合が午後１１：３０に終了し、午後１１：３０から夜中の１２時までニュースが放送されたことを示す。次に、ＰＶＲはテニスの試合についての新しいＥＰＧデータを探索する。ＰＶＲは、これが木曜日の午後１０時にチャンネル３で放送されるようスケジュール変更されていたことを見つける。ＰＶＲは、木曜日の夜にテニスの試合の放送を録画するよう自分自身を自動的にプログラムする。ユーザが録画すべきとして選択した番組は、例えば水曜日の夜の（テニスの試合ではなく）「ＥＲ」といったテレビジョン番組であった場合、ＥＲは野球の試合によって差し替えられ、ＥＲはスケジュール変更されず、ＰＶＲは単に録画すべき次週の「ＥＲ」の放送を選択する。
【００１３】
図３は、本発明の望ましい実施例のフローチャートを示す図である。ＰＶＲは、ＥＰＧデータを受信する（４０）。ユーザは、ＥＰＧデータから録画すべき番組を選択する（４１）。ＰＶＲは、番組のタイトル、チャンネル番号、時間、及び番組の長さから、録画しようとする時間の長さを知り、その時間に亘って録画する（４２）。次に、ＰＶＲは訂正されたＥＰＧデータを受信する（４３）。ＰＶＲは、訂正されたＥＰＧデータを、変更を見つけるために以前のＥＰＧデータと比較し次に変化を番組録画リストと比較するか、変化のみが送信されたときは録画されるべきであるとして選択された番組と変化とを比較する（４４）。この比較（４４）から、ＰＶＲは、いずれかの番組が誤って録画されたか否かを決定する。誤った録画がされていない場合は、ＰＶＲは何もしない（４６）。比較（４４）により、誤った録画がされたことが示された場合、ＰＶＲは、番組のスケジュール変更された放送又は番組が放送されるべき次の時間について新しいＥＰＧデータを探索し（４５）、次の放送を録画するようＰＶＲを設定する。ＰＶＲは、誤った録画を消去するか上書きし（４７）及び／又はいつ誤った又は不完全な録画がされたか、訂正された録画が生ずるのか、また生ずるのであればいつ生ずるのかをユーザに知らせる。システムは、誤った録画をユーザが消去するオプションを含みうる。
【００１４】
本発明についてＰＶＲを参照して説明したが、本発明は、明らかに、ＶＣＲや将来のＤＶＤ等といった他の録画装置を用いて実施されうる。更に、ＥＰＧや訂正されたＥＰＧを受信するために、ケーブル接続、インターネット、又は上述のような電話回線を通じて等の多くの方法がある。
【００１５】
従って、本発明の精神及び範囲を逸脱することなく上述の方法及び構成を実施するために幾らかの変更がなされうるため、上述の説明から明らかな上述の目的は効率的に得られ、上述の説明及び添付の図面に示される全ての事項は例示的なものであり制限的なものではないと理解されるべきである。
【図面の簡単な説明】
【図１Ａ】
本発明によるＰＶＲを示す図である。
【図１Ｂ】
本発明によるＰＶＲを示す図である。
【図２Ａ】
水曜日の朝にＰＶＲに送信されたＥＰＧスケジュールを示す図である。
【図２Ｂ】
水曜日の夜に録画されるべきテニスの試合の選択を示す図である。
【図２Ｃ】
日曜日の朝にＰＶＲへ送信されうる１つの形の訂正されたＥＰＧデータの示す図である。
【図２Ｄ】
ＰＶＲが訂正されたＥＰＧデータに基づいて録画されるべきスケジュール変更されたテニスの試合を選択したことを示す図である。
【図２Ｅ】
日曜日の朝にＰＶＲへ送信されうる他の形の訂正されたＥＰＧデータを示す図である。
【図３】
本発明のフローチャートを示す図である。
【図１Ａ】
2004509575.tif 000002
【図１Ｂ】
2004509575.tif 000003
【図２Ａ】
2004509575.tif 000004
【図２Ｂ】
2004509575.tif 000005
【図２Ｃ】
2004509575.tif 000006
【図２Ｄ】
2004509575.tif 000007
【図２Ｅ】
2004509575.tif 000008
【図３】
2004509575.tif 000009
【国際公開パンフレット】
2004509575.tif 000010
2004509575.tif 000011
2004509575.tif 000012
2004509575.tif 000013
2004509575.tif 000014
2004509575.tif 000015
2004509575.tif 000016
2004509575.tif 000017
2004509575.tif 000018
2004509575.tif 000019
2004509575.tif 000020
2004509575.tif 000021
【国際公開パンフレット（コレクトバージョン）】
2004509575.tif 000022
【国際公開パンフレット（コレクトバージョン）】
2004509575.tif 000023
【国際調査報告】
2004509575.tif 000024
2004509575.tif 000025
2004509575.tif 000026
2004509575.tif 000027
2004509575.tif 000028
2004509575.tif 000029